(57)【特許請求の範囲】
【請求項１】
前縁が航空力学的表面（２６）で延長されており、前記航空力学的表面（２６）のレベルで航空力学的流束が流動し、前記航空力学的流束の剥離を阻止するための空気排出孔（３０）が配置されており、前記空気排出孔（３０）が前記前縁（２２）にほぼ平行して少なくとも２つの列（３２）をなし、そして、連続する前記少なくとも２つの列（３２）の間では、前記空気排出孔（３０）が互い違いに配置されている航空機の前縁であって、
前記航空機の前縁が、前記航空力学的表面（２６）を形成する２つの壁面間に挿入される少なくとも１つの一体成型されたかいもの（３６）を含み、前記かいもの（３６）が、一方では、前記航空力学的表面（２６）の延長部に相当する外面（３８）、前記航空力学的表面（２６）を形成する第１壁面と接触する第１傾斜面（４０）、および、前記航空力学的表面（２６）を形成する第２壁面と接触する第２傾斜面（４２）を備え、そして他方では、前記航空力学的表面（２６）の内側から外側への空気の流通を可能にする突出および／または凹状形態が、前記第１傾斜面（４０）及び前記第２傾斜面（４２）に、２つの傾斜面の間で互い違いになるように配設されていることを特徴とする航空機の前縁。
【請求項２】
排出される空気が、前記航空力学的表面（２６）の近くで、傾斜した方向に噴射するように、前記空気排出孔（３０）の形状が適応していることを特徴とする、請求項１に記載の航空機の前縁。
【請求項３】
前記前縁が空気を配分し、特定の前記空気排出孔（３０）に向かって方向づけるための手段を含むことを特徴とする、請求項１または請求項２による航空機の前縁。
【請求項４】
外面（１８）と、内側に動力機構が配置されている導管（１６）とを連結する唇部（２０）を含み、前記唇部（２０）が前縁（２２）を形成し、前記前縁（２２）が前記導管（１６）で延長され、前記導管（１６）に空気排出孔（３０）が前記前縁（２２）にほぼ平行して少なくとも２つの列（３２）をなして配置され、連続する前記少なくとも２つの列（３２）の間では、前記空気排出孔（３０）が互い違いに配置されている航空機用ナセルであって、
前記航空機用ナセルが、前記導管（１６）を形成する２つの壁面の間に挿入される少なくとも１つの一体成型されたかいもの（３６）を含み、前記かいもの（３６）が、一方では、前記導管（１６）の表面の延長部に相当する外面（３８）、前記導管（１６）を形成する第１壁面と接触している第１傾斜面（４０）、および、前記導管（１６）を形成する第２壁面と接触している第２傾斜面（４２）を含み、そして他方では、内側から外側への空気の流通を可能にする突出および／または凹状形態が、前記第１傾斜面（４０）及び前記第２傾斜面（４２）に、２つの傾斜面の間で互い違いになるように配設されていることを特徴とする航空機用ナセル。
【請求項５】
前記唇部（２０）を形成する壁面と前記導管（１６）を形成する壁面との間に前記少なくとも１つの一体成型されたかいもの（３６）を含むことを特徴とする、請求項４に記載の航空機用ナセル。
【請求項６】
前記唇部（２０）の内側に、前記空気排出孔（３０）への空気の補給を分離するために仕切られている区域を含むことを特徴とする、請求項４または請求項５に記載の航空機用ナセル。
【発明の詳細な説明】
【技術分野】
【０００１】
本発明は、航空機の前縁用空気排出孔方式、とりわけ航空機のナセルの前縁に適する空気排出孔方式に関しており、前記方式は、とりわけ航空機の入射角の変化および／または突風の方向による航空力学的壁面からの空気の流束の剥離の危険を制限することを可能にする。
【背景技術】
【０００２】
航空機の推進集合体は、ナセルを含んでおり、支柱を介して航空機の他の部分に連結してある前記ナセル内に、動力機構がほぼ同心的に配置してある。
【０００３】
ナセルは、前部に空気取入口を有する導管を画定する第１の壁面を含んでおり、一次流束と呼ばれている、流入空気の流束が燃焼に加わるために動力機構を横断し、二次流束と呼ばれている第２の空気の流束が送風機に牽引されて、ナセルの第１壁面と動力機構の外壁に画定された環状導管内を流動する。
【０００４】
ナセルはまた、複数の要素の並置からなる、空気取入口から後方の排出孔まで伸びている、ほぼ環状の断面の、外方の、と呼ばれている第２壁面、ならびに第１壁面と第２壁面を連結している、空気取入口を具象化している唇部も含んでいる。
【０００５】
この先の記述では、ナセルの長手方向軸は、動力機構の軸と一致するものとする。
【０００６】
ナセル内に流入する空気の流束がナセルの長手方向軸に対して大きい角度で方向付けられていると、航空力学的表面に対する空気の流束の剥離現象が引き起こされる。この現象は、エンジンの順調な機能に影響を及ぼす。空気の剥離現象は、空気の流動方向の逆転区域を特徴とする。この区域の始まりは、流動の主要方向にほぼ垂直な線と一致しており、今後、この線を剥離線と呼ぶことにする。
【０００７】
この剥離現象は、とりわけ低速での大きな入射角の操作の飛翔時だけでなく、地上、とりわけ横風での離陸段階時にも出現することがある。
【０００８】
この段階の間、剥離線は、通常、固定点または離陸条件では、上部または側方部に位置しており、飛翔操作の条件では、低部に位置している、円周の多かれ少なかれ広い部分において空気取入口の内部に伸びている。
【０００９】
したがって、一般的な実施態様によれば、ナセルの寸法およびナセルの前部の形状の厚さは、この機能条件で決まる。その結果、他の飛翔条件、とりわけ巡航におけるナセルの性能にマイナス面が起こる。
【００１０】
飛翔条件、地上における風の方向、飛翔中の航空機の速度と入射角またはエンジンの回転数によって、剥離線の位置は異なっている。したがって、例えば、入射角が大きければ大きいほど、この剥離線は、空気取入口である前部（前縁）に近くなるのに、航空機の速度またはエンジンの回転数が早ければ早いほど、前部から遠ざかる。
【００１１】
ＥＰ−１．１５６．９６２号文書によって、剥離線に直角またはちょうど上流に、航空力学的流束に平行な方向に、壁面に対してほぼ接線に空気の流束を噴射することからなる、壁面からの航空力学的流束の剥離を阻止することのできる技術が知られている。噴射する空気の流束の航空力学的特性を調節することによって、剥離現象の出現の危険を制限することができる。
【００１２】
この文書によれば、空気の流束の噴射地点は、剥離線にほぼ平行な線に配置してある。
【００１３】
したがって、幾何学的形状のためと同じく、剥離現象の出現を阻止するためのこの解決策は、空気の流束と航空機の入射角と速度の限られた範囲しか処理できない。
【発明の概要】
【発明が解決しようとする課題】
【００１４】
ゆえに、本発明は、飛翔中にもっと大きくなる入射角、航空機の速度およびエンジンの回転数の範囲、ならびに地上で相対的にもっと大きくなる風の方向と速度の範囲に関する航空機の前縁のレベルにおける剥離現象の出現を制限することのできる空気の排出装置を提案することによって、従来の技術の欠点の排除を狙いとしている。
【課題を解決するための手段】
【００１５】
そのために、本発明は、航空力学的流束が流動するレベルに、航空力学的表面で延長されている航空機の前縁、および前縁とその延長されている部分を含む航空機用ナセルを対象としており、前記前縁の延長されている部分には前記航空力学的流束の剥離を阻止するための空気排出孔が配置されており、前記空気排出孔が、前記前縁にほぼ平行して少なくとも２つの列をなし、そして、連続する前記少なくとも２つの列の間では、前記空気排出孔が互い違いに配置されており、前記航空機の前縁が、前記航空力学的表面を形成する２つの壁面間に挿入される少なくとも１つの一体成型されたかいものを含み、前記かいものが、一方では、航空力学的表面の延長部に相当する外面、前記航空力学的表面を形成する第１壁面と接触する第１傾斜面、および、前記航空力学的表面を形成する第２壁面と接触する第２傾斜面を備え、そして他方では、前記航空力学的表面の内側から外側への空気の流通を可能にする突出および／または凹状形態が、前記第１傾斜面及び前記第２傾斜面に、２つの傾斜面の間で互い違いになるように配設されていることを特徴としている。
【図面の簡単な説明】
【００１６】
その他の特性と利点は、添付図に照らして、単に例として示した記述である、これから記す本発明の記述によって明らかになるだろう。
【図１Ａ】剥離の瞬間の剥離区域を示す斜視図である。
【図１Ｂ】突風時の剥離区域を示す斜視図である。
【図２】本発明による空気取入口を示す斜視図である。
【図３Ａ】本発明の第１変形態様による空気排出孔の配置構成を示す上面図である。
【図３Ｂ】本発明の別の変形態様による空気排出孔の配置構成を示す上面図である。
【図３Ｃ】本発明のまた別の変形態様による空気排出孔の配置構成を示す上面図である。
【図４】空気排出孔を示すナセルの空気取入口の断面図である。
【図５】一実施態様による空気の排出装置を保有するかいものの詳細図を示すナセルの導管の壁面の断面図である。
【図６】図５のかいものを示す斜視図である。
【図７】航空機のナセルの空気取入口を示す正面図である。
【発明を実施するための形態】
【実施例】
【００１７】
図１Ａと図１Ｂに、ナセル１０を含む航空機の推進用集合体が示してあり、前記ナセル内に、支柱１２を介して、航空機の他の部分と連結してある動力機構がほぼ前記心円的に配置してある。この先の記述では、長手方向軸１４は、動力機構の軸と一致する。
【００１８】
ナセル１０は、導管を画定する第１壁面１６、外面と呼ばれている第２壁面１８、ならびに空気の流束が流入する空気取入口を画定する第１壁面１６と第２壁面１８とを連結する唇部２０を含んでいる。
【００１９】
一次流束と呼ばれている、空気取入口に進入する空気の流束の第１部分は、燃焼に参加すべく動力機構を貫通し、それに対して、送風機に牽引された、二次流束と呼ばれている第２部分は、ナセルの第１壁面と動力機構の外壁面とに画定された環状導管内を、送風機に牽引されて流動する。
【００２０】
ナセルの唇部２０は、ナセルの前部に当たる前縁２２を含んでいる。
【００２１】
ナセルに適用している、として記述しているが、本発明は、航空機の全ての前縁に適用でき、前記諸前縁は、ナセルの場合のように曲線状、または翼の場合のようにほぼ直線状であり得る。エンジンに繋がる作用が無いので、剥離線の位置の変化は、航空機の入射角と速度との複合作用に起因する。
【００２２】
これから先の記述では、航空力学的表面とは、飛翔時の空気の流束が流動する、周囲の空気と接触する航空機の表面を指すことにする。
【００２３】
空気の流束の特定の特性に関連して、剥離線は、多かれ少なかれ前縁から離れているので、航空力学的表面のレベルに出現することがあり得る。
【００２４】
ナセルの場合、剥離線２４は、導管１６を画定し、前縁２２の下流側に伸びている航空力学的表面２６のレベルに出現することがあり得る。導管１６の円周の方向に多かれ少なかれ伸びているこの剥離線は、例えば、航空機の大きな入射角でもって飛翔の場合、図１Ａに示したように、航空力学的表面２６の低部のレベルに、例えば、強い横風での離陸の場合、固定点においてエンジンの回転数の多い場合または図１Ｂに示したように、航空力学的表面２６の側部のレベルに位置することがあり得る。
【００２５】
前縁に対する剥離線２４の位置、とりわけ前縁から隔たっている距離は、飛翔条件に応じて変化する。
【００２６】
したがって、例えば、入射角が大きければ大きいほど、この剥離線は、前部（前縁）に近接し、それに反して、航空機の速度またはエンジンの回転数が早ければ早いほど、遠ざかる。
【００２７】
剥離線２４は、ナセルの円周の少なくとも一部分に伸びている。
【００２８】
本発明では、航空力学的表面２６は、前縁２２にほぼ平行な少なくとも２つの列３２に配置してある空気排出孔を含んでおり、前記空気排出孔３０は、相次ぐ少なくとも２つの列では、長手方向軸に垂直な方向に、ずれた形で配置してある。図３Ａと図３Ｂに示したように、２つの列の場合、空気排出孔は、互い違いになっている。
【００２９】
空気排出孔３０を前縁にほぼ平行して複数の列に配置することによって、空気排出孔で処理する帯状部の巾を増加させることになり、同範囲における剥離線の揺動を許す。
【００３０】
空気排出孔の不連続性は、全範囲に亘る、流動方向に伸びている多数のスリットを有する配置構成に比して、必要な吐出量を減少させることを可能にする。
【００３１】
他方では、１つの列から他の列にずれた形で空気排出孔３０を配置する事実は、上流側の列のレベルに配置してある第１排出孔から流出する空気の流束で、下流側の列のレベルで配置してある空気の排出を擾乱しないことが可能になる。なお、この互い違いの配置構成は、流動の安定化に関して、各孔の不連続性によって発生する渦の好ましい作用を最適にする。
【００３２】
図３Ａないし図３Ｃに示したように、空気排出孔３０は、異なる断面の形状を有することができる。
【００３３】
したがって、図３Ａに示したように、空気排出孔３０は、扇形の形状を呈することができ、同形状は、全部、同一方法で方向付けて、または図３Ａに示したように、１つの列と次の列が交互に逆方向に方向づけてある。
【００３４】
別の実施態様では、図３Ｂと図３Ｃに示したように、正方形または長方形の断面を呈することができる。
【００３５】
空気排出孔は、図３Ａと図３Ｂに示したように、２つの列に配置してあり、または図３Ｃに示したように、３つの列またはそれ以上に配置してある。
【００３６】
なお、列と列の間隔は一定であることができ、または相次ぐ２つの列間で異なることができる。
【００３７】
場合によって、列は、前縁での列または区域に応じて完全に同一または異なる排出孔を有することができるだろう。
【００３８】
場合によって、列は、剥離現象に対するもっとも危険な区域の確認後、航空機の配置構成と作業分野に応じて、ナセルの全円周または円周の少なくとも１つの部分に伸びることができる。
【００３９】
排出孔の形状は、排出される空気が航空力学的表面に近い傾斜方向に噴射されるように合わせておかれる。参考として、噴射された空気は、航空力学的表面に対して５ないし４５度の範囲の角度になるようにする。
【００４０】
空気の吐出量は、航空力学的流束の剥離を阻止するために、これを調整しておく。
【００４１】
変形態様では、空気は、あるいは一次流束のレベルでエンジン内から採取し、または二次流束のレベルでナセル内から、あるいは１つないし複数の汲み出し機を経由して外部から直接、あるいは前縁の空気圧除霜装置のレベルで、除霜すべき冷たい表面との熱交換による冷却した空気を採取することができる。
【００４２】
本発明の別の特性として、本装置は、必要に応じて、空気を配分し、特定流出口に方向付けるための手段を含んでいる。
【００４３】
したがって、本発明による装置は、処理される区域を選別することができ、噴射した空気の流束を、空気取入口の特定の区間に向かって方向付けることを許すゲート弁を含んでいる。
【００４４】
例として、低速での飛翔では、空気取入口の下部だけが本当に補給される必要がある。そのとき、操縦士は、空気取入口の下部に配置してある空気排出孔に補給すべく、ゲート弁の開放を指示する。
【００４５】
図４、図５および図６に、ナセルに適用した本発明による本装置の一実施態様を示しておいた。
【００４６】
ナセルは、導管１６を形成する壁面、外面を形成する壁面１８、唇部２０、ならびに壁面１６と１８とを連結し、唇部２０を担持する前枠３４を含んでいる。この諸要素間の連結を確立するために各種の配置構成が考えられる。
【００４７】
本発明によれば、図示の例では、本装置は、唇部２０を形成する壁面と導管１６を形成する壁面との間に、航空力学的表面を形成する２つの壁面間に介在する少なくとも１つのかいもの３６を含んでおり、前記かいものは、壁面１６と唇部２０との接触壁面のレベルに、前記かいもの３６の両側に、ナセルの内側から外側への空気の流通を許す突出および／または凹状形態を含んでいる。
【００４８】
記述では、両壁面１６と１８および唇部２０で画定している区域をナセルの内部区域と呼ぶことにする。外部区域は、導管１６内を流動する風路を特に含んでいる。
【００４９】
唇部２０と接触しているかいものの突出および／または凹状形態は、空気排出孔の第１列になり、壁面１６と接触するかいものの突出および／または凹状形態は、空気排出孔の第２列を形成する。
【００５０】
図４、図５および図６に示したように、空気排出孔は、露出型である。
【００５１】
したがって、かいもの３６は、航空力学的表面２６の延長部に外面３８、前記外面３８と鋭角を形作る壁面１６と接触している第１傾斜面４０、前記第１傾斜面４０とほぼ平行な唇部２０と接触している第２傾斜面４２を含んでいる。第１と第２傾斜面４０と４２を傾斜させることによって、空気排出孔を経て噴射される空気の流束の傾斜角の調整が可能である。
【００５２】
突出および／または凹状形態は、両傾斜面４０と４２のレベルに配設してあり、一方では、外面３８のレベルに、他方では、内側区域のレベルに口が開いており、突出および／または凹状形態は、一方の面から他方の面に、互い違いに配置してある。
【００５３】
改善した一実施態様では、かいもの３６は、唇部２０の下に延長してある薄い厚さの部分４４および壁面１６の一部を格納するために、折り返し部を有する内面４６を含んでいる。この場合、突出および／または凹状形態の第１系列は、唇部２０と接触している部分４４の表面から外面３８まで広がっており、突出および／または凹状形態の第２系列は、内面４６から外面３８まで広がっている。
【００５４】
かいもの３６は、ナセルの円周の少なくとも１つの部分に伸びている単一部材を含むことができ、または円周の少なくとも一部に伸びていて、端と端を合わせた複数の短幹を含むことができる。
【００５５】
諸変形態様では、本装置は、長手方向軸の方向に応じて、１つのかいもの３６、あるいは並置したまたは並置していない複数のかいもの３６を含むことができる。
【００５６】
一実施態様では、前枠３４と唇部２０は、排出孔３０への空気の補給を分離するために仕切る区域を画定している。したがって、空気を１つまたは複数の仕切りに補給することによって、他の排出孔を活性化しないで、特定の空気排出孔を活性化することが可能である。
【符号の説明】
【００５７】
１０．ナセル
１２．支柱
１４．長手方向軸
１６．第１壁面
１８．第２壁面
２０．唇部
２２．前縁
２４．剥離線
２６．空力学的表面
３０．空気排出孔
３２．２つの列
３４．前枠
３６．かいもの
３８．延長部外面
４０．第１傾斜面
４２．第２傾斜面
【図１Ａ】
0005672005.tif 000002
【図１Ｂ】
0005672005.tif 000003
【図２】
0005672005.tif 000004
【図３Ａ】
0005672005.tif 000005
【図３Ｂ】
0005672005.tif 000006
【図３Ｃ】
0005672005.tif 000007
【図４】
0005672005.tif 000008
【図５】
0005672005.tif 000009
【図６】
0005672005.tif 000010
【図７】
0005672005.tif 000011